(57)【特許請求の範囲】
【請求項１】
バーナを備えたガス器具に取り付けられる本体内に、上下動自在の弁体を配設すると共に内側に向かって下り傾斜したすり鉢状の傾斜部を形成し、該傾斜部に球状の可動子を載置して、傾斜部の底部分に可動子が位置する状態では弁体が下降端で保持され開弁状態になりバーナへガスを流すと共に、可動子が該底部分から外れると弁体が上昇端に移動して閉弁状態になりバーナへのガス供給を停止するガス遮断弁において、本体をガス器具に取り付けた状態で、ガス器具に対する本体の姿勢を可変調整し得る姿勢調整機構を設け、該姿勢調整機構は弾性体からなるダンパ部材を有し、該ダンパ部材を介して本体をガス器具に取り付けるようにしたことを特徴とするガス遮断弁。
【請求項２】
バーナを備えたガス器具に取り付けられる本体内に、上下動自在の弁体を配設すると共に内側に向かって下り傾斜したすり鉢状の傾斜部を形成し、該傾斜部に球状の可動子を載置して、傾斜部の底部分に可動子が位置する状態では弁体が下降端で保持され開弁状態になりバーナへガスを流すと共に、可動子が該底部分から外れると弁体が上昇端に移動して閉弁状態になりバーナへのガス供給を停止するガス遮断弁において、本体をガス器具に取り付ける際に、本体とガス器具との間に弾性体からなるダンパ部材を介在させ、ガス器具からダンパ部材を介して本体に振動が伝達されるようにしたことを特徴とするガス遮断弁。
【請求項３】
上記本体側に水準器を取り付けたことを特徴とする請求項１又は２記載のガス遮断弁。
【発明の詳細な説明】
【０００１】
【発明の属する技術分野】
本発明は、ガス供給路の途中に介設され、振動が作用した際や所定角度以上傾斜した際にガス供給路を閉鎖するガス遮断弁に関する。
【０００２】
【従来の技術】
特願平８−２４３３２７号として、バーナへガスを供給するガス供給路に介設された本体内に、ばねにより上方に付勢され、上昇端で弁座に押接されてガスの流れを遮断する上下動自在の弁体を配設すると共に、該本体の上部に、少なくとも底面の一部が内側に向かって下り傾斜したすり鉢状の傾斜部を備え、球状の可動子を内部に格納する可動子室を形成し、弁体の上面に上記傾斜部の底部分に突出する棒状突起を形成して可動子が傾斜部の底部分に位置する状態で可動子が棒状突起を介して弁体を押し下げ、弁体を弁座から離間させ開弁状態になるようにしたガス遮断弁を先に提案した。
【０００３】
ガス器具のバーナにガスを供給するガス供給路には、バーナの上流に火力調節弁と、その上流にバーナの着火状態で開弁保持され、消火状態で閉弁する失火時用の安全弁とが介設されており、該ガス遮断弁は安全弁の更に上流位置に介設される。地震等によりガス遮断弁に一定以上の強さの振動が作用すると、可動子が傾斜部の底部分から外れる。上から押さえていた可動子が外れると弁体はばねの付勢力により上昇し、上昇端で弁座に押接されてガスの流れを遮断する。弁体がガスの流れを遮断すると弁体の上流側にはガスの供給圧が作用し、弁体はばねの付勢力と共に供給圧により弁座に押接されて閉弁する。ガスの流れが遮断されるとバーナは消火し、該消火により安全弁が閉鎖する。
【０００４】
傾斜部の傾斜角度や、傾斜部の底部分に可動子が嵌る穴を設ける場合にはその穴の大きさを調節することにより、可動子が傾斜部の底部分から外れる振動の強さを設定することができる。
【０００５】
【発明が解決しようとする課題】
上記従来のものでは、ガス器具にガス遮断弁を取り付ける際に、各部品の寸法誤差等により、ガス器具に取り付けた状態でガス遮断弁の本体が斜めに傾く場合が生じる。ガス遮断弁の本体が傾いて取り付けられると傾斜部の一方側では傾斜角が小さくなるため可動子は傾斜部の底部分から外れやすくなる。
【０００６】
ところで、振動している物体に作用する加速度である振動加速度は、
振動加速度＝（２π×周波数）2×振幅
で表される。地震による振動がガス遮断弁に作用しても振幅が小さい場合には振動加速度が小さく、可動子は傾斜部の底部分から外れないが、振幅が大きくなると振動加速度が所定値を超え、可動子は傾斜部の底部から外れる。一方、ガス器具にものをぶつけた場合等に生じる振動の周波数は地震により生じる振動の周波数より高い。従って、ものをぶつけた場合等に生じる振動の振幅が小さくても周波数が高いため振動加速度が大きくなり、可動子が傾斜部の底部分から外れて誤作動するおそれが生じる。
【０００７】
そこで本発明は、上記の問題点に鑑み、ガス器具に取り付けた状態で、設定した大きさ以上の振動が作用するまではガスを遮断せず、また周波数の高い振動により誤作動しないガス遮断弁を提供することを課題とする。
【０００８】
【課題を解決するための手段】
上記課題を解決するために本発明は、バーナを備えたガス器具に取り付けられる本体内に、上下動自在の弁体を配設すると共に内側に向かって下り傾斜したすり鉢状の傾斜部を形成し、該傾斜部に球状の可動子を載置して、傾斜部の底部分に可動子が位置する状態では弁体が下降端で保持され開弁状態になりバーナへガスを流すと共に、可動子が該底部分から外れると弁体が上昇端に移動して閉弁状態になりバーナへのガス供給を停止するガス遮断弁において、本体をガス器具に取り付けた状態で、ガス器具に対する本体の姿勢を可変調整し得る姿勢調整機構を設け、該姿勢調整機構は弾性体からなるダンパ部材を有し、該ダンパ部材を介して本体をガス器具に取り付けるようにしたことを特徴とする。
【０００９】
ガス器具にガス遮断弁を取り付けた際に、ガス遮断弁の本体が傾いていても上記調節機構により、ガス遮断弁を本体に取り付けた状態のままで傾きを無くすように姿勢を調整する。このように傾きを無くすと、ガス遮断弁はどの方向の振動に対しても同じ感度でガスを遮断する。また弾性体からなるダンパ部材を介してガス遮断弁の本体をガス器具に取り付けると、ダンパ部材が周波数の高い振動の伝達を阻止する一種のフィルタとして作用し、周波数の高い振動はガス器具から本体に伝わらない。周波数の低い振動は減衰されることなく本体に伝わるので、ガス器具の感度に影響しない。
【００１０】
また、他の本発明は、バーナを備えたガス器具に取り付けられる本体内に、上下動自在の弁体を配設すると共に内側に向かって下り傾斜したすり鉢状の傾斜部を形成し、該傾斜部に球状の可動子を載置して、傾斜部の底部分に可動子が位置する状態では弁体が下降端で保持され開弁状態になりバーナへガスを流すと共に、可動子が該底部分から外れると弁体が上昇端に移動して閉弁状態になりバーナへのガス供給を停止するガス遮断弁において、本体をガス器具に取り付ける際に、本体とガス器具との間に弾性体からなるダンパ部材を介在させ、ガス器具からダンパ部材を介して本体に振動が伝達されるようにしたことを特徴とする。
【００１１】
弾性体からなるダンパ部材を介してガス遮断弁の本体をガス器具に取り付けると、ダンパ部材が周波数の高い振動の伝達を阻止する一種のフィルタとして作用し、周波数の高い振動はガス器具から本体に伝わらない。周波数の低い振動は減衰されることなく本体に伝わるので、ガス器具の感度に影響しない。
【００１２】
尚、ガス器具に取り付けた状態でガス遮断弁の本体の姿勢を調整する際にガス遮断弁の本体に水準器を取り付けておくと調整しやすい。
【００１３】
【発明の実施の形態】
図１を参照して、Ｂはガステーブルやガスストーブ等のガス器具に内蔵されているバーナであり、バーナＢへガスを供給するガス供給路には、上流側から順に安全弁ＳＶと火力調節用の火力調節弁Ｖとが直列に接続されている。一方、バーナＢの近傍には点火プラグＳＰと熱電対ＴＣとが配設されいる。点火プラグＳＰ及び熱電対ＴＣは共にコントローラＣに接続され、点火プラグＳＰはコントローラＣから高電圧が印加されバーナＢとの間に火花放電を生じさせることによりバーナＢへ点火を行うものである。また、バーナＢが点火されると熱電対ＴＣが炎によって加熱され熱起電力をコントローラＣに出力する。コントローラＣは熱電対ＴＣにより点火状態を検知している間は安全弁ＳＶを開弁状態に保持するが、バーナＢが消火すると安全弁ＳＶを閉弁させる。そして、本実施の形態では安全弁ＳＶの更に上流に本発明にかかるガス遮断弁１を接続した。
【００１４】
図２に示す如く、本体である弁筐１０の略上半部に可動子室２を形成した。そして、可動子室２の内部に鋼球から成る可動子３を格納し、可動子室２を外部に対して気密に封止した。該可動子室２は有底円筒状に形成されており、底面には内側に向かって下るように傾斜するすり鉢状の傾斜部２２が形成されている。該傾斜部２２の底部分には後述する棒状突起５０の先端５３が臨む連通孔２３が開口している。従って、振動が生じていない状態では可動子３は連通孔２３に嵌って安定して保持される。
【００１５】
弁筐１０の下半部には弁室４が形成されている。該弁室４を介してガスが流入する流入部４１とガスが流出する流出部４２とが連通されている。弁室４の内部には弁座４３が形成されている。弁室４内にはばね５１により上方に付勢された弁体５が上下動自在に配設されている。該弁体５の上面には環状のシール部材５２が取り付けられており、弁体５がばね５１により上方に押し上げられるとシール部材５２が弁座４３に押接される。すると、流入部４１から流出部４２への連通が断たれ、ガスは流出部４２から下流へと流れなくなる。振動が作用しない状態では、弁体５の中央部から上方に延設された棒状突起５０の先端５３が可動子３により押され弁体５全体が下げられた状態になっている。この状態では、弁体５はシール部材５２が弁座４３から離間した開弁状態になっている。可動子３の重量はばね５１の付勢力に打ち勝って弁体５を下方に押し下げ得るように設定する必要がある。ただし、シール部材５２が弁座４３に押接され閉弁状態になると、流入部４１を介してガスの供給圧力が弁体５の上流側の面（下面）に作用し、ばね５１の付勢力と共に弁体５を上方へ押し上げるので、可動子３の重量では弁体５を押し下げられなくなり、閉弁状態のままになる。そこで、弁体５にバイパス穴５４を形成し、弁体５が閉弁しバーナＢが消火してガス遮断弁１の下流に設けた安全弁ＳＶが閉弁するとバイパス穴５４を介してガスがガス遮断弁１と安全弁ＳＶとの間に徐々に流れ込み、弁体５の下流側の圧力をガスの供給圧力に近付け、振動が収まり可動子３が連通孔２３に戻ると可動子３の重量のみで弁体５を押し下げられ自動で開弁状態に復帰するように構成されている。
【００１６】
ガス遮断弁１は姿勢調整機構６を備えており、上記弁筐１０は姿勢調整機構６を介してガス器具ＧＴに取り付けられる。該姿勢調整機構６は、弁筐１０に直接ねじ止めされる保持板６１と、ガス器具ＧＴ側にねじ止めされる固定板６２とを備えている。図３に示すように、予め保持板６１をガス遮断弁１の上面にねじ止めしておく。ダンパ部材である円筒状のゴム製のブッシュ６３には外周面に溝６３ａが形成されており、固定板６２に形成した係合溝６２ａに溝６３ａが係合するようにブッシュ６３を嵌め込む。そして、ねじ６４を上方からブッシュ６３に挿通し、保持板６１にねじ６４を螺合させることにより弁筐１０を固定板６２に吊り下げるように保持させる。３本のねじ６４のねじ込み量を変えることにより弁筐１０の姿勢を調整することができる。従って、組み付け誤差等により弁筐１０の姿勢が傾いても、ねじ６４の各々のねじ込み量を調節することにより弁筐１０の傾きを調整することができる。ところで、弁筐１０に固定される保持板６１に設けた２つのスリット穴６５に差し込むことにより下げ振り式の水準器７を取り付けた。姿勢調整の際に、該水準器７を見ながら弁筐１０の姿勢を調整すると調整を簡単に行えるので調整に要する時間を短くできる。尚、下げ振り式の水準器の外に、例えば気泡式の水準器を用いてもよい。
【００１７】
上記構成によれば、保持板６１と固定板６２とはブッシュ６３を介して接することになる。例えばガス器具ＧＴにものがぶつかることにより生じる振動の周波数は比較的大きい。ガス器具ＧＴに直接ねじ止めされている固定板６２はガス器具ＧＴと共に振動するが、ブッシュ６３が弾性変形することにより振動はブッシュ６３で吸収され、ブッシュ６３を介して吊り下げられている弁筐１０には振動が伝わらない。但し、地震による振動のように周波数の小さい振動の場合にはガス器具ＧＴと共に固定板６２が振動するとブッシュ６３の弾性変形量が大きくならず弁筐１０に振動が伝わり、弁筐１０は固定板６２と共に振動する。そして、弁筐１０に伝わる振動が一定の大きさを超えると可動子３が連通孔２３から外れてガス遮断弁１は閉弁する。尚、上記実施の形態ではブッシュ６３は保持板６１と固定板６２とにより挟まれ圧縮される。該圧縮の反力としてねじ６４は保持板６１に対して上方に引き上げる方向に付勢されるため、ねじ６４は保持板６４に対して緩みにくくなる。
【００１８】
ところで、上記実施の形態のほかに、例えば図４に示すように、ガス遮断弁１の側面をゴム製の連結部材８を介してガス器具ＧＴに取り付けると共に、ガス遮断弁１の上面の２カ所にゴム製の螺合部材９を固着し、ガス器具ＧＴ側にねじ止めされる固定板９３に挿通した２本のねじ９２を螺合部材９に螺合してガス遮断弁１を固定板９３に吊り下げるようにした。尚、螺合部材９はゴム製の中空部材の上端にナットを嵌着させたもので、ねじ９２の先端はガス遮断弁１に直接接触しないように構成されている。従って該構成による場合も、ねじ９２の締め込み量を調節することによりガス遮断弁の姿勢を調整することができ、且つ、周波数の大きな振動は連結部材８及び螺合部材９により減衰されガス遮断弁１の弁筐には伝わらない。
【００１９】
尚、上記実施の形態では、安全弁ＳＶの上流側にガス遮断弁１を配設したが、安全弁ＳＶの下流側にガス遮断弁１を配設してもよい。この場合、バーナＢは弁体５の閉弁により消火し、安全弁ＳＶが閉弁するとガス圧がガス遮断弁１と安全弁ＳＶとの間に封止されて弁体５は開弁保持されるが、バイパス穴５４を介して弁室４からガス流出部４２側へガスが徐々に抜けて弁室４が大気圧になり、弁室４の圧力とガス流出部４２の圧力とが共に大気圧になり、相互に等しくなって自動的に開弁する。
【００２０】
また、可動子室２を弁体５の上方に形成し、上方に付勢されている弁体５を可動子３で押し下げるようにしたが、可動子を弁体の下方に配設し、振動が作用した際に可動子で弁体を持ち上げて閉弁するタイプのガス遮断弁に本発明を適用してもよい。
【００２１】
【発明の効果】
以上の説明から明らかなように、本発明のガス遮断弁によれば、ガス器具に対する取り付け姿勢が傾いても姿勢調整機構によりガス遮断弁の姿勢を調整することができ、設定された大きさより小さな振動でガス遮断弁が作動してバーナへのガス供給を停止するというおそれがない。
【００２２】
また、ガス遮断弁をガス器具に対してダンパ部材を介して取り付けることにより、ガス器具にものをぶつけた場合等に生じる周波数の高い振動がガス遮断弁に伝わらず、該振動による誤作動を防止できる。
【図面の簡単な説明】
【図１】本発明のガス遮断弁の適用状態を示す図
【図２】本発明の第１の実施の形態を示す断面図
【図３】姿勢調整機構の構成を示す分解斜視図
【図４】第２の実施の形態を示す斜視図
【符号の説明】
１  ガス遮断弁
２  可動子室
３  可動子
４  弁室
５  弁体
６  姿勢調整機構
７  水準器
【図１】
0003698859.tif 000002
【図２】
0003698859.tif 000003
【図３】
0003698859.tif 000004
【図４】
0003698859.tif 000005